(57)【要約】  本発明は、位置および１つ以上の特徴に基づいてユーザ装置およびサービス製品により対象を識別することができる方法およびシステムである。サービス製品は対象を識別することができるサービスを提供する。この方法では、識別すべき対象を位置決めし、ユーザ装置を前記サービスに接続し、サービスは対象の位置およびその特徴に基づいて情報をデータベースから取り出す。取り出した情報を１つ以上の代替情報の形でユーザ装置に提示する。本発明は、ユーザ装置は識別すべき対象の特徴を、識別すべき対象の写真をサービス製品に送ることにより提示することを主な特徴とする。この写真からサービス製品は対象の特徴を読み取り、これに基づいてデータベースからの探索を行う。
2010522918.tif 000002
【特許請求の範囲】
【請求項１】
１つまたは複数の特徴に基づいてユーザ装置（１）およびサービス製品により対象を識別する方法において、前記サービス製品は対象を識別することができるサービスを提供し、前記方法は識別すべき前記対象を位置決めし、ユーザ装置（１）を前記サービスに接続し、前記サービス製品は位置およびその特徴に基づいて情報をデータベース（６）から取り出し、ユーザ装置（１）で１回以上の探索を行った後で前記取り出した情報を１つ以上の代替情報の形でユーザに提示する方法であって、
ユーザ装置（１）は識別すべき対象の特徴を前記対象の写真を送ることにより提示し、前記サービス製品は前記対象の特徴を前記写真から読み取り、これに基づいてデータベースからの探索を行うことを特徴とする、対象を識別する方法。
【請求項２】
前記サービス製品は前記対象の特徴を、前記対象の異なる要素の形、色、および／または寸法に基づいて前記写真から読み取り、前記特徴と既存の代替特徴とを比較し、前記写真から読み取った特徴と一致しない代替特徴を既存の代替特徴から除外することを特徴とする、請求項１記載の対象を識別する方法。
【請求項３】
前記ユーザ装置（１）は移動局（１）であり、識別すべき対象の前記位置決めは移動局（１）の位置決めにより行い、前記位置情報は移動局（１）内の位置決めシステムが与える情報と一致することを特徴とする、請求項１または２記載の対象を識別する方法。
【請求項４】
識別すべき対象の前記位置決めは見つけた前記対象の位置を前記サービス製品に手動で知らせることにより行うことを特徴とする、請求項１または２記載の対象を識別する方法。
【請求項５】
前記サービス製品に送る前記写真は移動局（１）がとることを特徴とする、請求項１−４のいずれか一項記載の対象を識別する方法。
【請求項６】
前記サービス製品に送る前記写真は、ディジタルカメラでとった写真かまたはスキャンした写真であることを特徴とする、請求項１−４のいずれか一項記載の対象を識別する方法。
【請求項７】
前記サービス製品は、前記写真から読み取った特徴、前記対象の位置、前記選択された特徴、および時間情報に基づいて前記情報を取り出すことを特徴とする、請求項１−６のいずれか一項記載の対象を識別する方法。
【請求項８】
更なる特徴を識別のためにユーザ装置（１）に提示し、前記サービスに送った後で、最終結果または最終代替情報を前記ユーザに提示するステップを更に含む、請求項１−７のいずれか一項記載の対象を識別する方法。
【請求項９】
前記サービス製品はユーザ装置（１）内にあることを特徴とする、請求項１−８のいずれか一項記載の対象を識別する方法。
【請求項１０】
前記サービス製品はインターネットなどの公共ネットワーク（３）を介してサービスプロバイダ（５）から要求されることを特徴とする、請求項１−９のいずれか一項記載の対象を識別する方法。
【請求項１１】
ユーザ装置（１）からのメッセージは端末能力の情報を更に含むことを特徴とする、請求項１−１０のいずれか一項記載の対象を識別する方法。
【請求項１２】
前記サービスは前記端末能力に基づいて適当な形で情報をユーザ装置（１）に提示することを特徴とする、請求項１１記載の対象を識別する方法。
【請求項１３】
位置および１つ以上の特性に基づいて対象を識別するシステムにおいて、ユーザ装置（１）と対象を識別するサービスを提供するサービス製品とを含み、前記システムは前記製品および位置決めシステムと接続を確立するための手段を持つユーザ装置（１）を有し、更に、前記システムはその位置および／または特徴に基づいて分類された対象を持つデータベース（６）を含むサービスを有するシステムであって、
前記ユーザ装置は識別すべき対象の写真をとり、それを前記サービス製品に送るための手段を有し、また前記サービス製品は前記写真のパターン認識を行うためおよび前記データベース内の代替情報と比較するための手段を有することを特徴とする、対象を識別するシステム。
【請求項１４】
前記ユーザ装置は移動局であり、また全世界測位システム（ＧＰＳ）などの位置決めシステムを更に含むことを特徴とする、請求項１３記載の対象を識別するシステム。
【請求項１５】
移動局（１）はＧＳＭ電話または他の無線端末であることを特徴とする、請求項１３記載の対象を識別するシステム。
【請求項１６】
前記サービス製品はユーザ装置（１）内にあることを特徴とする、請求項１３−１５のいずれか一項記載の対象を識別するシステム。
【請求項１７】
前記システムは前記サービス製品を有するサービスプロバイダ（５）を更に含むことを特徴とする、請求項１３−１６のいずれか一項記載の対象を識別するシステム。
【請求項１８】
ユーザ装置（１）はインターネットを通して前記サービスプロバイダに接続することを特徴とする、請求項１６記載の対象を識別するシステム。
【請求項１９】
データベース（６）はローカル・データベース（７ａ−７ｎ）、ローカル・データベース（７ａ−７ｎ）毎の対象メニュー（１）、および対象メニュー（１）の異なるレベルのサブメニュー（２ａ−６）から成ることを特徴とする、請求項１３−１８のいずれか一項記載の対象を識別するシステム。
【請求項２０】
国内の種々の地域にローカル・データベース（７ａ−７ｎ）があることを特徴とする、請求項１９記載の対象を識別するシステム。
【請求項２１】
識別すべき前記対象は階層システム内の異なる特徴に基づいてサブメニュー（２ａ−６）によりデータベース（６）内で分類されることを特徴とする、請求項１３−２０のいずれか一項記載の対象を識別するシステム。
【請求項２２】
サブメニュー（２ａ−６）は前記対象の映像、テキスト、または写真を含むことを特徴とする、請求項２０−２１のいずれか一項記載の対象を識別するシステム。
【発明の詳細な説明】
【技術分野】
【０００１】
本発明は対象を識別するための、特に植物、動物、および鉱物などの自然の中の対象を識別するための方法およびシステムに関する。
【背景技術】
【０００２】
自然の中を歩いている人は、植物、キノコ、石、鉱物、蝶、昆虫、動物、および空中の現象などの自然の中の種々の対象および現象を識別したくなることがある。別の問題として、自分がどこにいるかを確かめようとするときに起こる場所の限定がある。
自分がどこにいるかを確かめるのは人が昔から行っていることの１つであろう。航行（ｎａｖｉｇａｔｉｏｎ）と位置決めは多くの活動にとって重要であるが、そのプロセスは常に厄介なものである。移動局の使用の増加と共に、現在では位置決めすなわち場所の限定を行うことのできるいろいろの方法がある。
【０００３】
ＧＰＳは、いかなる天候においても、地球上の全ての点の位置データを非常に正確に提供するための最初の位置決めシステムである。ＧＰＳの最も重要な応用は「位置」すなわち「場所」を簡単に決定することである。
技術的には、全地球測位システム（ＧＰＳ）は２４個の衛星およびその地上局で形成する全世界無線航行システムである。ＧＰＳの背後にある考え方は、地球上の場所の参照点として宇宙空間内の衛星を用いることである。ＧＰＳは衛星を参照点として用いて、数メートルという精度で位置を計算する。最新のＧＰＳはセンチメートル以内の精度で測定することができる。最近では、ＧＰＳは自動車、ボート、航空機、建設機械、映画制作装置、農業機械で、更にラップトップ・コンピュータや全ての移動局で用いられている。ＧＰＳ信号は、例えばＧＳＭ電話の位置の正確な情報を含んでいる。
【０００４】
ＧＰＳは、標準位置決めサービス（ＳＰＳ）と精密位置決めサービス（ＰＰＳ）という２つのレベルのサービスを提供する。ＳＰＳは位置決めおよびタイミングのサービスであって、全てのＧＰＳユーザは直接の課金なしにいつでも全世界で使用できる。ＳＰＳが提供する予想位置決め精度は水平方向に１００ｍ（９５％）、垂直方向に１５６ｍ（９５％）であり、ＵＴＣ（協定世界時）に対する時間経過精度は３４０ナノ秒（９５％）以内である。ＰＰＳは高精度の軍用の位置決め、速度、およびタイミングのサービスであり、米国が認可したユーザはいつでも全世界で使用できる。
【０００５】
ＧＰＳを利用するにはＧＰＳ受信機が必要である。多くの異なるタイプの受信機があり、価格は近年ますます低下している。ＧＰＳ受信機は、米国国防省（ＤＯＤ）全地球測位システムの衛星から放送される信号を「聴取」する。各衛星は、配置した全ての衛星の位置を含む情報を放送する。ＧＰＳ受信機はこの信号を用いて衛星の位置を決定する。
【０００６】
ユーザは位置データを平面座標システムに変換して、他のデータ集合と組み合わせてＧＰＳの結果の地図をプロットするか、または面積、距離、または方向などのパラメータを更に計算する必要がある。ＧＰＳ受信機は、通常、位置情報を２つ以上の書式で報告することができる。最も多い書式は緯度および経度である。
全世界測位システムおよびＧＰＳ受信機は、地球上のどこででも位置決めを行う手段を提供する。ＧＰＳ構成は、ＧＰＳ受信機およびアンテナと、受信機からの別々に修正されたＧＰＳデータと他の電子機器とをインターフェースするソフトウエアとを含む。
【０００７】
自然の中の対象および現象を識別するには、通常、知識に基づくか、または所望の情報を見つけるために本またはインターネット上のサイトを用いて行う。しかし、自然の中を歩くとき、重い本やコンピュータを持ち運ぶのは厄介である。またインターネットにアクセスできる移動局が使える場合でも、大型のデータベース内には大量の代替情報があるので、多くの対象を迅速に、ともかくも、識別することはできない。これらのデータベース内の種々の対象の識別は、識別すべき対象の写真（また場合によっては高解像度スキャニング）に基づく。
【先行技術文献】
【特許文献】
【０００８】
【特許文献１】ＷＯ公開第２００６／１２０２８６号
【発明の概要】
【発明が解決しようとする課題】
【０００９】
出願者は以前の出願ＦＩ−２００５０４９２（ＷＯ公開第２００６／１２０２８６号に対応する）において、場所の限定および１つ以上の特徴に基づいてユーザ装置およびサービス製品により対象を識別することのできる、方法およびシステムを提示した。識別すべき対象を位置決めして、ユーザ装置が接続しているサービスにこの対象の位置を知らせる。ユーザ装置のユーザはサービスが提示する対象の１つ以上の特性を選択する。次に、対象の位置および選択された特性を含む１つ以上のメッセージをユーザ装置からサービスに送る。サービスは、対象の位置および選択された特徴に基づいて情報をデータベースから取り出し、取り出した情報を、識別すべき１つ以上の選択可能な対象の形でユーザ装置に提示する。
【００１０】
対象を最終的に識別するにはユーザとサービス製品との間でしばしば複数のメッセージを送る必要がある。この場合、サービス製品は対象の選択可能な特性をユーザに送り、ユーザは提示された特性の中から、識別すべき対象と一致する特性を選んでサービス製品に通知する。
その後出願者は、対象を識別するときにユーザとサービス製品との間で送るメッセージの数を減らすことができる更に優れた方法を発明した。
【課題を解決するための手段】
【００１１】
本発明は、位置および１つ以上の特徴に基づいてユーザ装置およびサービス製品により対象を識別することのできる、方法およびシステムである。サービス製品は対象を識別することのできるサービスを提供する。この方法では、識別すべき対象を位置決めし、ユーザ装置をこのサービスに接続し、サービスは対象の位置およびその特徴に基づいてデータベースから情報を取り出す。取り出した情報は１つ以上の代替情報の形でユーザ装置に提示する。本発明の主な特徴は、ユーザ装置は識別すべき対象の特徴を、識別すべき対象の写真をサービス製品に送ることにより提示することである。サービス製品はこの写真から対象の特徴を読み取り、これに基づいてデータベースからの取出しを行う。
【００１２】
このシステムの主な特徴は、ユーザ装置は識別すべき対象の写真をとってサービス製品に送るための手段を有し、またサービス製品はパターン認識のためおよびデータベース内の代替情報との比較のための手段を有することである。
本発明の種々の実施の形態をサブクレームに示す。
【００１３】
１つの実施の形態では、サービス製品は、対象の形、色、および／または寸法に基づいて写真から対象の特徴を読み取る。サービス製品は、サービス製品が提示した代替情報からユーザが正しい特徴を選択したこと、およびサービス製品は送られた写真から識別すべき対象の特徴を読み取ったこと、の情報を得てよい。後者の場合、サービス製品は写真から読み取ることができた特徴と一致しない代替情報を、提示された代替情報から除外する。かかる特徴は、例えば異なる要素の数、寸法（また要素の相対的大きさ）、色、花弁の数などである。
【００１４】
ユーザ装置は好ましくは移動局である。この場合、識別すべき対象の場所の限定は移動局の位置決めにより行い、またこの段階の位置の情報は移動局内の位置決めシステムが与える情報と一致する。この情報は別個のメッセージで、または統合したメッセージで、また随意のステップで、ＧＰＳにより自動的に通知されうる。場所の限定は、見つけた対象の位置をサービス製品に手動で知らせることにより行ってもよい。
サービス製品に送られる写真をとるのは写真をサービス製品に送るのと同じ移動局が行うのが普通であるが、例えば別個のディジタルカメラでとった写真でもよく、または走査した写真でもよい。
【００１５】
好ましくは、データベースは、ローカル・データベース、ローカル・データベース毎の対象メニュー、および対象メニューの種々のレベルのサブメニューから成る。国内の種々の地域にローカル・データベースを有するのが実際的である。識別すべき対象は、階層システム内の異なる特徴に基づいてサブメニューによりデータベース内で分類する。サブメニューは、対象の映像、テキスト、または写真を含み、サブメニュー内の映像、テキスト、または写真はいくつかの特徴を指定することにより対象を記述する。
【００１６】
本発明は主として、例えば、植物、キノコ、石、鉱物、蝶、昆虫、動物、および空中の現象などの自然の中の対象を識別するためのものである。しかし、他の適当なものに拡張して、例えば、星、天体、異なるタイプの雲、オーロラなどの識別、天気予報、他の将来予測（その地方の自然の開発など）、また風景や町や村などの場所の限定を行ってよい。
例えば、このサービスを未知の植物種の識別に用いる場合は、データベースが階層構造であるためユーザが使いやすいインターフェースになる。
【００１７】
ユーザは植物の位置を、移動局の位置によりまたは位置情報を手動で送ることによりすでに知らせてあるので、システムは、場所を限定した領域内になくまたその時その区域内に存在しない全ての植物を除外する。これにより識別が速くなり、また無線で送るべき情報が少なくなくなる。
【００１８】
提案すべき対象をシステムが写真および位置に基づいてすぐに探せない場合は、サービス製品は対象に関する追加の情報を要求してよい。これに対して、ユーザは種の特徴を記述するシンボル（すなわち記述、映像、または写真）を見て与えるか、または識別しようとする種と最もよく一致する提案を選ぶ。自然の中の植物に関する質問の場合は、これらのシンボルなど（サブメニュー内の）は、例えば花冠の色、葉または小葉の形、幹または茎の直径などを記述してよい。
【００１９】
識別が容易であって、写真または場所限定の情報だけで、または特徴を１つ選択するだけで十分識別できることがある。しかし場合によっては、識別のために更なる特徴をより多くのステップで移動局に提示し、サービス製品に送った後に、最終結果または代替結果を移動局に提示する。新しい記述を与える度に、サービスはまだ存在する多数の可能な種を提示し、代替情報の量が妥当であるとユーザが感じると、ユーザはサービスが受け付けたそれぞれの種の写真、名前、および記述を要求して得る。
【００２０】
或る実施の形態では、また特に、提示する代替情報が１つだけの場合は、要求がなくても結果を示してもよい。それぞれの種は、識別をより正確にするための複数の写真および詳細を有してよい。稀種の可能性がある（とサービスが知らせた）場合は、ユーザは将来のために自分の装置のメモリ内にその位置を記憶してよい。
【００２１】
提示される写真（特徴を記述しまたサービス製品のデータベース内に記憶されているもの）は、本発明者が発明した特殊な方法により非常に詳細に作ることができる。この方法では、ユーザが後で識別すべき例えば植物の写真は、まず植物を特殊な方法で準備して作る。植物のどの部分も壊さないようにして新鮮な植物を注意深く押し付け、高性能のスキャナでスキャンし、スキャンした写真をサービス製品のデータベース内に記憶する。サービスでは、提示される写真のどの詳細部分でも、植物内に起こる例えば毛（例えば曲がったり腺があったりした場合）がよく見えるように拡大して、ユーザが現地で生きた対象と比較できるようにする。
【００２２】
種々の特徴や結果の提示やサービスは一般に、もちろん多くの異なる方法で行ってよく、また設計の問題でもある。例えば植物の特徴の代替提示に加えて、特に述べたいのは、例えばサービスの言語を多くの候補の中から選び、また植物、虫、蝶などの名前をラテン語でも示すことが好ましいということである。
【００２３】
理解されるように、全ての可能なサービスを利用できるようにするため、ユーザ装置に対していくつか要求したいことがある。最も良い結果が得られる可能性があるのは、ユーザ装置が例えばＷＡＰをサポートし、または３Ｇ装置であり、また十分大きな寸法のカラースクリーンを有する場合である。スクリーンが大きいほど、全ての詳細をより良く提示することができる。しかし、選択すべき特徴および最終の結果は、ユーザ装置の能力を考慮して種々の書式でユーザに提示してよい。好ましくは、サービスプロバイダに送られる選択された代替情報を含むメッセージは端末の能力の情報も含む。この場合、サービスは端末の能力に基づいて情報を適当な形で移動局に送る。
【００２４】
通常、本発明はインターネットを介して用いられ、ユーザ装置は、インターネットを通して前記サービスを提供するサービスプロバイダに接続する。
しかし、本発明は特に、ユーザ装置として移動局および他の無線端末に関して用いるためのものである。
【００２５】
前記ユーザ装置が移動局の場合は、識別すべき対象の位置決めを移動局の位置決めにより行ってよい点が優れている。サービスが移動局内の位置決めシステムにより位置情報を得る場合はユーザは位置を入力する必要がなく、サービスは対象の位置（移動局の位置と一致する）を直接得る。移動局は好ましくはＧＳＭ電話またはＧＰＳをサポートする他の無線端末である。
サービス製品はユーザ装置内にあってよい。またはサービス製品はインターネットなどの公共ネットワークを介してサービスプロバイダから要求される。
本発明について、いくつかの有用な実施の形態および例により以下に説明する。本発明はこの説明の詳細により限定されるものではない。
【図面の簡単な説明】
【００２６】
【図１】本発明を実現してよい環境の構造図である。
【図２】本発明の方法の或る実施の形態の信号図である。
【発明を実施するための形態】
【００２７】
図１は、本発明を実現することのできる環境の構造図である。この例では、ユーザ装置はＧＰＳ受信機２を有する移動局１であり、受信機２により衛星システム４を介して移動局を位置決めすることができる。移動局１は、例えばＷＡＰインターフェースなどを介して公共ネットワーク３（例えば、インターネット）にアクセスできるＧＭＳ電話であることが好ましい。移動局は公共ネットワークを介して、データベース６でサービスを保持するサービスプロバイダ５と通信する。データベースはローカル・データベース７ａ−７ｎに接続する。
【００２８】
図２は本発明の方法の或る実施の形態の信号図である。ユーザは、インターネットにアクセスできる携帯電話を持って自然の中を歩いていると仮定する。ユーザは、知らない植物を見つけると識別したいと思う。ユーザは電話の中にＧＰＳ受信機を有しているので、ＧＰＳ衛星システムを通して信号１および２により電話の位置決めを行うことができる。
信号３および４で、ユーザは見つけた植物を識別できるサービスを受けるようサービスプロバイダに要求する。
【００２９】
まず、識別すべき対象のメニューの形でサービスがユーザに提示される。ここでユーザは、例えば植物、動物、昆虫、または石などのどれを識別したいかを選択しなければならない。
データベースは、例えば植物、動物、昆虫、石、風景などの、サービスプロバイダがそのために製品を設計した、識別すべき対象を含む主メニューを有してよい。
ユーザが例えば或る植物を選択すると、その植物の位置および季節に基づいて或るローカル・データベースからユーザに提示が行われる。
【００３０】
サービスプログラムは、色、地勢（その植物を見つけた）、および見つけた植物のモデルをローカル・データベースから選択してよい。ＧＰＳシステムを用いる無線端末をユーザが有する実施の形態では、サービス製品は対象の位置から情報を直接得るので、植物を見つけた地勢または植物が見える地域のタイプも得ることがある。
識別のための代替対象を選択すると、その対象の記述を或るサブメニューから取り出し、次に、一層詳細な記述を階層内の更に低位の別のサブメニューから取り出してよい。
より詳細な説明は、出願者の以前の出願ＦＩ−２００５０４９２（ＷＯ公開第２００６／１２０２８６号に対応する）に示されている。
【００３１】
代替対象はサブメニューからの選択に基づいてユーザに提示される。サービスが最終的な代替対象を見つけることができない場合、または最初の選択で代替対象が多すぎるとユーザが考える場合は、ユーザが望めば、異なるサブメニューからより多くの特性を選択することができる。
次にステップ５で、ユーザは識別すべき対象の写真を自分の移動局でとって記憶する。
【００３２】
次ステップ６でサービスプロバイダに送るメッセージは、対象の位置を含む。この位置情報は電話内のＧＰＳ受信機から受けたものである。または、この方法の随意のステップにおいて別個のメッセージで、または信号３と共に、この情報をサービスに送る。電話がＧＰＳ受信機を持たない場合は、ユーザは製品が提示する代替位置をクリックするかまたは座標を与えることにより、手動で位置を入力しなければならない。
移動局は、対象をとった写真をメッセージ６と共に、または別個のメッセージでもよいが、サービスプロバイダに送る。
【００３３】
サービスプロバイダに送るメッセージ（信号３または６）は、選択された特性の情報と、随意であるが端末の能力に関する情報も含んでよい。
サービス製品は写真と恐らく時間情報とを組み合わせる手段（ソフトウエア）を有し、また信号６のメッセージ内の情報によって正しいローカル・データベースに接続することができる。このソフトウエアは写真から対象の形（パターン認識により）、その寸法、および例えばその色に基づく情報を読み取ることができる。
【００３４】
サービス製品は、写真の情報を用いるときにその写真とデータベース内の代替情報とを比較する。これにより、写真から読み取ることができる情報と一致しない代替情報を既存の代替情報から除外することができる。かかる情報は、例えば花弁の数、花の形、葉の形、色、寸法などである。
与えられた特徴と一致する可能な植物に関する情報を該ローカル・データベースから信号７および８で取り出す。情報を取り出すとき、サービス製品は好ましくは季節（時間情報）も考慮に入れる。
【００３５】
好ましくは、サービス製品は、ユーザ装置の端末能力を考慮に入れて結果および特徴を随意の書式でユーザに提示する手段も有する。
この最初の探索の結果は信号９でユーザ装置に送る。
可能性が高いのは、この段階で単一の情報をユーザに提示し、その情報が信号６で送った特性と一致しているのでユーザがその植物を認識することである。その場合は、ステップ９の次はステップ１５に進む。
信号６で与えた特性が複数の植物に当てはまる場合は多くの代替情報をユーザに提示してよく、ユーザはその中からこの段階で正しい代替情報を見つけることができる。
【００３６】
しかし、ステップ１０でユーザは見つけた植物の一層詳細な特徴を更に選択して、ステップ１１で新しい特徴と一致する代替情報を要求し、２つ以上の可能な代替情報があった場合は代替情報を少なくするように結果を狭めてよい。
または、サービスはかかる対象の特徴を例えばシンボルの形で提示し、ユーザは見つけた植物を記述する特徴と最も良く一致する１つまたは複数のシンボルを選択して（クリックして）よい。
【００３７】
このように、結果はユーザが選択しまたその季節に起こる特徴を有する１つ以上の可能な代替映像を示す。また結果は選択すべき他の特徴も提示して、探索結果を改善することもある。
与えられた新しい特徴と一致する可能な代替植物を再び該ローカル・データベースから信号１２および１３で取り出し、その結果を信号１４でユーザに提示する（これらのステップが必要であれば）。
【００３８】
この例では、提示された情報が１つだけであったためか、または残りの代替情報によりユーザがその植物を識別することができたために、ユーザはステップ１５でその植物を識別することができたと仮定している。
ユーザがより多くの特徴を何度もサービス製品に与えた後に、識別のための正しい情報が得られることもある。
【図１】
2010522918.tif 000003
【図２】
2010522918.tif 000004
【国際調査報告】
2010522918.tif 000005
2010522918.tif 000006
2010522918.tif 000007